(57)【特許請求の範囲】
【請求項１】
ホールド型画像表示パネルに出力する信号を調整するコントローラであって、
映像信号の１フレームを複数のサブフレームに分割する倍速駆動変換機能と、３原色の映像信号を３原色と混色とを含む４色以上の映像信号に変換する色変換機能とを備えた映像信号変換部と、
前記映像信号変換部によって変換された映像信号を、異なる複数の階調を含み、前記複数の階調の輝度の平均値が前記色変換機能で変換された映像信号の輝度と同等となる複数の階調に変換し、前記複数の階調のそれぞれを前記複数のサブフレームのそれぞれの階調とするサブフレーム変換部とを有すると共に、
前記色変換機能が、前記３原色の映像信号の最大階調に対し、前記４色以上の映像信号の最大階調が小さくなるように変換することを特徴とするコントローラ。
【請求項２】
前記映像信号変換部が、
入力される映像信号に対して前記倍速駆動変換機能を実行する倍速駆動変換部と、
前記倍速駆動変換部によって前記複数のサブフレームに分割された映像信号に対して前記色変換機能を実行する色変換部と
を含むことを特徴とする、請求項１に記載のコントローラ。
【請求項３】
前記映像信号変換部が、
入力される映像信号に対して前記色変換機能を実行する色変換部と、
前記色変換機能によって前記４色以上に変換された映像信号に対して前記倍速駆動変換機能を実行する倍速駆動変換部と
を含むことを特徴とする、請求項１に記載のコントローラ。
【請求項４】
前記サブフレーム変換部は、入力される映像信号が所定の階調より小さい場合には前記複数のサブフレームのうちいずれか一つのサブフレームの階調を前記ホールド型画像表示パネルにおいて表示可能な最小値近傍にし、入力される映像信号の階調が所定の階調より大きい場合には前記複数のサブフレームのうちいずれか一つのサブフレームの階調を前記ホールド型画像表示パネルにおいて表示可能な最大値近傍にすることを特徴とする、請求項１に記載のコントローラ。
【請求項５】
前記色変換機能が、
前記３原色の映像信号の最大階調と前記４色以上の映像信号の階調とからスケーリングファクタを算出するスケーリングファクタ算出部と、
前記４色以上の映像信号の相対輝度と前記スケーリングファクタからスケーリング相対輝度を算出するスケーリング輝度設定部と
を含むことを特徴とする、請求項１に記載のコントローラ。
【請求項６】
前記色変換機能が、任意に設定される輝度効率から前記スケーリングファクタを調整する効率設定部を含み、
前記スケーリング輝度設定部が前記効率設定部によって調整された調整済みスケーリングファクタを使用して前記スケーリング相対輝度を算出することを特徴とする、請求項５に記載のコントローラ。
【請求項７】
前記スケーリングファクタ算出部が、前記４色以上の映像信号の相対輝度を（ＬＲ１，ＬＧ１，ＬＢ１，ＬＷ１）、前記３原色の映像信号の最大階調をＬｍａｘ０とすると、前記スケーリングファクタＳをＳ＝Ｍａｘ（ＬＲ１，ＬＧ１，ＬＢ１，ＬＷ１）/Ｌｍａｘ０として算出し、
前記効率設定部が、前記輝度効率をα（０≦α≦１）とすると、前記調整済みスケーリングファクタＳ２をＳ２＝（１＋Ａ）−｛（１＋Ａ）−Ｓ｝αとして算出し、
前記スケーリング輝度設定部が、前記スケーリング相対輝度（ＬＲ２，ＬＧ２，ＬＢ２，ＬＷ２）をＬＲ２＝ＬＲ１／Ｓ２、ＬＧ２＝ＬＧ１／Ｓ２、ＬＢ２＝ＬＢ１／Ｓ２、ＬＷ２＝ＬＷ１／Ｓ２として算出することを特徴とする、請求項６に記載のコントローラ。
【請求項８】
前記色変換機能が、
前記４色以上の映像信号に対して、前記混色以外のいずれかの色を０階調とするか、もしくは前記混色以外の最大階調と前記混色の階調とを等しくすることによって、前記４色以上の映像信号の最大階調を小さくした低輝度化処理済スケーリング相対輝度を算出する低輝度化処理部
を含むことを特徴とする、請求項１に記載のコントローラ。
【請求項９】
前記低輝度化処理部が、前記４色以上の映像信号の相対輝度を（ＬＲ２，ＬＧ２，ＬＢ２，ＬＷ２）、前記相対輝度のうち前記混色を除く成分の最大階調および最小階調を各々Ｌｍａｘ２およびＬｍｉｎ２、前記混色のサブピクセル透過率と前記混色を除くサブピクセルの合計透過率をＡとすると、前記低輝度化処理済スケーリング相対輝度（ＬＲ３，ＬＧ３，ＬＢ３，ＬＷ３）を、（Ｌｍａｘ２−ＬＷ２）／（１＋Ａ）≧Ｌｍｉｎ２/Ａの場合ＬＲ３＝ＬＲ２−Ｌｍｉｎ２、ＬＧ３＝ＬＧ２−Ｌｍｉｎ２、ＬＢ３＝ＬＢ２−Ｌｍｉｎ２、ＬＷ３＝ＬＷ２＋Ｌｍｉｎ２／Ａ、（Ｌｍａｘ２−ＬＷ２）／（１＋Ａ）＜Ｌｍｉｎ２／Ａの場合ＬＲ３＝ＬＲ２−（Ｌｍａｘ２−ＬＷ２）×Ａ／（１＋Ａ）、ＬＧ３＝ＬＧ２−（Ｌｍａｘ２−ＬＷ２）×Ａ／（１＋Ａ）、ＬＢ３＝ＬＢ２−（Ｌｍａｘ２−ＬＷ２）×Ａ／（１＋Ａ）、ＬＷ３＝ＬＷ２＋（Ｌｍａｘ２−ＬＷ２）／（１＋Ａ）として算出することを特徴とする、請求項８に記載のコントローラ。
【請求項１０】
前記混色が白色であることを特徴とする、請求項１ないし請求項９のうちいずれか１項に記載のコントローラ。
【請求項１１】
３原色と混色とを含む４色以上のサブピクセルを含むホールド型画像表示パネルと、
前記ホールド型画像表示パネルに信号を出力するドライバ回路と、
前記ドライバ回路を駆動制御するコントローラを有し、
前記コントローラが請求項１ないし請求項１０のうちいずれか１項に記載のコントローラであることを特徴とするホールド型画像表示装置。
【請求項１２】
前記ホールド型画像表示パネルが、３原色と混色とを含む４色以上のサブピクセルを含む液晶パネルであることを特徴とする、請求項１１に記載のホールド型画像表示装置。
【請求項１３】
ホールド型画像表示装置を含む電子機器であって、前記ホールド型画像表示装置が請求項１１もしくは請求項１２に記載のホールド型画像表示装置であることを特徴とする電子機器。
【請求項１４】
ホールド型画像表示パネルを有するホールド型表示装置にあって、前記ホールド型画像表示パネルに出力する信号を調整する方法であって、
入力される映像信号の１フレームを複数のサブフレームに分割する倍速駆動変換工程と、
前記複数のサブフレームを含む３原色の映像信号を３原色と混色とを含む４色以上の映像信号に変換する色変換工程と、
前記色変換工程によって変換された映像信号を、異なる複数の階調を含み、前記複数の階調の輝度の平均値が前記色変換工程で変換された映像信号の輝度と同等となる複数の階調に変換し、前記複数の階調のそれぞれを前記複数のサブフレームのそれぞれの階調とするサブフレーム変換工程と
を有すると共に、
前記色変換工程が、前記３原色の映像信号の最大階調に対し、前記４色以上の映像信号の最大階調が小さくなるように変換することを特徴とする信号調整方法。
【請求項１５】
ホールド型画像表示パネルを有するホールド型表示装置にあって、前記ホールド型画像表示パネルに出力する信号を調整する方法であって、
入力される３原色の映像信号を、３原色と混色とを含む４色以上の映像信号に変換する色変換工程と、
前記４色以上の映像信号の１フレームを複数のサブフレームに分割する倍速駆動変換工程と、
前記倍速駆動変換工程によって変換された映像信号を、異なる複数の階調を含み、前記複数の階調の輝度の平均値が前記色変換工程で変換された映像信号の輝度と同等となる複数の階調に変換し、前記複数の階調のそれぞれを前記複数のサブフレームのそれぞれの階調とするサブフレーム変換工程と
を有すると共に、
前記色変換工程が、前記３原色の映像信号の最大階調に対し、前記４色以上の映像信号の最大階調が小さくなるように変換することを特徴とする信号調整方法。
【請求項１６】
前記サブフレーム変換工程は、入力される映像信号が所定の階調より小さい場合には前記複数のサブフレームのうちいずれか一つのサブフレームの階調を前記ホールド型画像表示パネルにおいて表示可能な最小値近傍にし、入力される映像信号の階調が所定の階調より大きい場合には前記複数のサブフレームのうちいずれか一つのサブフレームの階調を前記ホールド型画像表示パネルにおいて表示可能な最大値近傍にすることを特徴とする、請求項１４もしくは請求項１５に記載の信号調整方法。
【請求項１７】
前記色変換工程が、
前記３原色の映像信号の最大階調と前記４色以上の映像信号の階調とからスケーリングファクタを算出するスケーリングファクタ算出工程と、
前記４色以上の映像信号の相対輝度と前記スケーリングファクタからスケーリング相対輝度を算出するスケーリング輝度設定工程と
を含むことを特徴とする、請求項１４ないし請求項１６のうちいずれか１項に記載の信号調整方法。
【請求項１８】
前記色変換工程が、任意に設定される輝度効率から前記スケーリングファクタを調整する効率設定工程を含み、
前記スケーリング輝度設定工程が前記効率設定工程によって調整されたスケーリングファクタを使用して前記スケーリング相対輝度を算出することを特徴とする、請求項１７に記載の信号調整方法。
【請求項１９】
前記色変換工程が、
前記４色以上の映像信号に対して、前記混色以外のいずれかの色を０階調とするか、もしくは前記混色以外の最大階調と前記混色の階調とを等しくすることによって、前記４色以上の映像信号の最大階調を小さくした低輝度化処理済スケーリング相対輝度を算出する低輝度化処理工程
を含むことを特徴とする、請求項１４ないし請求項１６のうちいずれか１項に記載の信号調整方法。
【請求項２０】
前記混色が白色であることを特徴とする、請求項１４ないし請求項１９のうちいずれか１項に記載の信号調整方法。
【発明の詳細な説明】
【技術分野】
【０００１】
本発明は液晶表示装置などのホールド型表示装置に関し、特に該装置における動画尾引きの発生を抑制することに関する。
【背景技術】
【０００２】
図１９は、従来の液晶表示装置などのようなホールド型表示装置に入力される信号の、時間軸に対する相対輝度の変化を示すタイムチャートである。図１９（ａ１）および（ａ２）は通常駆動、図１９（ｂ１）および（ｂ２）は特許文献１に示される黒挿入駆動、図１９（ｃ１）および（ｃ２）は特許文献２に示される時分割駆動の場合の相対輝度の時間変化を示す。図１９（ａ１）は通常駆動の場合で入力信号の階調が小さい場合、図１９（ａ２）は通常駆動の場合で入力信号の階調が大きい場合を示す。図１９（ｂ１）および（ｂ２）、図１９（ｃ１）および（ｃ２）も同様に入力信号の階調が小さい場合と大きい場合とを示す。
【０００３】
図１９（ａ１）および（ａ２）に示す通常駆動の場合では、時間軸に対して相対輝度が変化しない。ホールド型表示装置は、入力信号の変化に対する応答時間は、ブラウン管表示装置やプラズマ表示装置などと比べて長い。特に液晶表示装置は、その動作原理上、液晶の粘度および層の厚みのため、入力信号の変化に比べて液晶の配向変化が遅れる。このため、特に入力信号の変化が大きい動画などでは、残像が残ったような表示画面となってしまう。この現象を、動画尾引き（以後、単に「尾引き」ということもある）、もしくはモーションブラーなどという。
【０００４】
図１９（ｂ１）および（ｂ２）に示す、特許文献１に係る黒挿入駆動は、動画尾引きを抑制することを意図して提案されたものである。この駆動方式では、時間軸を所定の割合で映像サブフレーム３０１と黒サブフレーム３０２とに分割し、映像サブフレーム３０１は入力された映像信号をそのまま表示し、黒サブフレーム３０２では輝度０である黒色の画面を表示する。この動作は、入力信号の階調が小さい場合と大きい場合とで同一である。
【０００５】
この駆動は、擬似的なインパルス駆動となるため、動画尾引きの発生を抑制することは可能である。しかし、人間が認識する輝度３０３（水平方向の一点鎖線で示す）は、映像サブフレーム３０１と黒サブフレーム３０２との平均値となるため、輝度効率が半減する。このため、輝度の低下を防ぐためには、バックライトの輝度を上げなければならず、コストアップや消費電力の増加を引き起こすことになる。
【０００６】
図１９（ｃ１）および（ｃ２）に示す、特許文献２に係る時分割駆動は、動画尾引きを抑制すると同時に輝度効率を改善することを意図して提案されたものである。この駆動方式では、映像信号を倍速変換して１フレームを２つのサブフレーム３０４および３０５に分割する。図１９（ｃ１）に示す入力信号の階調が小さい場合は、一方のサブフレーム３０５の階調を最小値近傍にし、もう一方のサブフレーム３０４の階調を変化させる。
【０００７】
図１９（ｃ２）に示す入力信号の階調が大きい場合は、一方のサブフレーム３０５の階調を変化させ、もう一方のサブフレーム３０４の階調を最大値近傍にする。人間が認識する輝度３０６（水平方向の一点鎖線で示す）は各サブフレーム３０４および３０５の平均輝度であるので、平均輝度が元の入力信号の階調と等しくなるようサブフレームの階調を設定する。
【０００８】
より具体的には、１フレームを複数のサブフレームに時分割すると共に、入力映像信号の輝度が大きさに関わって変化する減衰変数で除算する減衰信号生成回路を設け、先行するサブフレームには除算前の輝度信号を表示し、後続するサブフレームには除算後の輝度信号を表示するという手法である。
【０００９】
この手法で、入力映像信号の輝度が最大の場合には後続するサブフレームの表示が最大となるように減衰変数を設定し、入力映像信号の輝度が小さい場合には後続するサブフレームの表示が最小になるように減衰変数を設定すれば、輝度効率は低減せずに低階調側の動画尾引きの発生を抑制することが可能である。
【００１０】
上記した特許文献１および特許文献２以外で、ホールド型表示装置における動画尾引きの抑制に関連する技術文献としては以下のものがある。特許文献に３は、黒挿入駆動において黒サブフレームを表示する期間を、画像信号の動き量に応じて設定するという技術が記載されている。特許文献４には、時分割駆動において階調が大きい側のサブフレームの階調を低下させて、サブフレーム間の輝度差を維持するという技術が記載されている。
【００１１】
【特許文献１】特開２００１−０４２２８２号公報
【特許文献２】特開２００２−０２３７０７号公報
【特許文献３】再公表特許ＷＯ２００３／０３２２８８号公報
【特許文献４】特開２００７−１３３０５１号公報
【発明の開示】
【発明が解決しようとする課題】
【００１２】
図２０は、図１９で示した各方式での入力信号と相対輝度との対応を示すグラフである。図２０（ａ）は通常駆動、図２０（ｂ）は黒挿入駆動、図２０（ｃ）は時分割駆動の場合をそれぞれ示す。共に、横軸は入力信号の階調を、縦軸は白色画面に対する相対輝度を示す。図２０（ａ）に示す通常駆動の場合では、もちろん相対輝度の変化はない。図２０（ｂ）に示す黒挿入駆動の場合では、映像サブフレーム３０１と黒サブフレーム３０２のそれぞれが表示される時間の割合（ここでは１：１）に応じて、相対輝度が低下している。
【００１３】
図２０（ｃ）に示す時分割駆動の場合では、入力信号の階調が小さい場合は、一方のサブフレーム３０５が黒表示に近い相対輝度となるため、黒挿入駆動と同様に動画尾引きの発生を抑制する効果がある。かつ、入力信号の階調が大きい場合は一方のサブフレーム３０４は最大の表示に近い輝度となるため、輝度効率は低減しないという効果がある。
【００１４】
しかしながら、動画尾引きの発生を抑制するという効果は、入力信号の階調が小さい場合に限定される。入力信号の階調が大きくなると、動画尾引きを抑制する効果は小さくなり、動画尾引きに伴う動画の変形、尾引きの色づきなどが引き続き発生することとなる。
【００１５】
また、減衰変数を定数とし、後続するサブフレームの輝度が小さくなるよう設定すれば、全階調領域に渡って動画尾引きの発生を抑制することはできるが、輝度効率の改善の効果が弱まる。つまり、従来のままの時分割駆動では、動画尾引きの抑制と輝度効率の改善との両立は困難である。
【００１６】
また、特許文献３に示される技術も、特許文献１の黒挿入駆動を一部改良したものであるが、黒挿入駆動である以上、前述の欠点を解決できるものではない。また、特許文献４に示される技術は、階調が大きい側のサブフレームの階調を低下させてサブフレーム間の輝度差を維持するというものであるので、輝度効率の悪化はやはり避けられない。つまり、特許文献１〜４のいずれにも、動画尾引きの抑制と輝度効率の改善とを両立しうる技術は記載されていない。
【００１７】
本発明の目的は、画像表示装置の動画尾引きの発生を抑制しつつ、輝度効率が良好であるコントローラ、ホールド型表示装置、電子機器、およびホールド型表示装置の信号調整方法を提供することにある。
【課題を解決するための手段】
【００１８】
上記目的を達成するため、本発明に係るコントローラは、ホールド型画像表示パネルに出力する信号を調整するコントローラであって、映像信号の１フレームを複数のサブフレームに分割する倍速駆動変換機能と、３原色の映像信号を３原色と混色とを含む４色以上の映像信号に変換する色変換機能とを備えた映像信号変換部と、映像信号変換部によって変換された映像信号を、異なる複数の階調を含み、複数の階調の輝度の平均値が色変換機能で変換された映像信号の輝度と同等となる複数の階調に変換し、複数の階調のそれぞれを複数のサブフレームのそれぞれの階調とするサブフレーム変換部とを有すると共に、色変換機能が、３原色の映像信号の最大階調に対し、４色以上の映像信号の最大階調が小さくなるように変換することを特徴とする。
【００１９】
上記目的を達成するため、本発明に係るホールド型画像表示装置は、３原色と混色とを含む４色以上のサブピクセルを含むホールド型画像表示パネルと、ホールド型画像表示パネルに信号を出力するドライバ回路と、ドライバ回路を駆動制御するコントローラを有し、コントローラが請求項１ないし請求項１０のうちいずれか１項に記載のコントローラであることを特徴とする。
【００２０】
上記目的を達成するため、本発明に係る電子機器は、ホールド型画像表示装置を含む電子機器であって、ホールド型画像表示装置が請求項１１もしくは請求項１２に記載のホールド型画像表示装置であることを特徴とする。
【００２１】
上記目的を達成するため、本発明に係る信号調整方法は、ホールド型画像表示パネルを有するホールド型表示装置にあって、ホールド型画像表示パネルに出力する信号を調整する方法であって、入力される映像信号の１フレームを複数のサブフレームに分割する倍速駆動変換工程と、複数のサブフレームを含む３原色の映像信号を３原色と混色とを含む４色以上の映像信号に変換する色変換工程と、色変換工程によって変換された映像信号を、異なる複数の階調を含み、複数の階調の輝度の平均値が色変換工程で変換された映像信号の輝度と同等となる複数の階調に変換し、複数の階調のそれぞれを複数のサブフレームのそれぞれの階調とするサブフレーム変換工程とを有すると共に、色変換工程が、３原色の映像信号の最大階調に対し、４色以上の映像信号の最大階調が小さくなるように変換することを特徴とする。
【００２２】
上記目的を達成するため、本発明に係る他の信号調整方法は、ホールド型画像表示パネルを有するホールド型表示装置にあって、ホールド型画像表示パネルに出力する信号を調整する方法であって、入力される３原色の映像信号を、３原色と混色とを含む４色以上の映像信号に変換する色変換工程と、４色以上の映像信号の１フレームを複数のサブフレームに分割する倍速駆動変換工程と、倍速駆動変換工程によって変換された映像信号を、異なる複数の階調を含み、複数の階調の輝度の平均値が色変換工程で変換された映像信号の輝度と同等となる複数の階調に変換し、複数の階調のそれぞれを複数のサブフレームのそれぞれの階調とするサブフレーム変換工程とを有すると共に、色変換工程が、３原色の映像信号の最大階調に対し、４色以上の映像信号の最大階調が小さくなるように変換することを特徴とする。
【発明の効果】
【００２３】
本発明は、３原色の映像信号を混色を含む４色以上に変換するように構成したので、同じ映像表示を３原色表示で用いる階調よりも低い階調の信号で表示することができ、時分割駆動の動画尾引きの発生を抑制する効果を発揮させることができる。これによって、画像表示装置の動画尾引きの発生を抑制しつつ、輝度効率が良好であるという、従来にない優れたコントローラ、ホールド型表示装置、電子機器、およびホールド型表示装置の信号調整方法を提供することができる。
【発明を実施するための最良の形態】
【００２４】
［第１の実施の形態］
図１は、本発明の第１の実施の形態に係る液晶表示装置１の構成を示すブロック図である。液晶表示装置１は、コントローラ１０と、ソースドライバ１１、ゲートドライバ１２、液晶パネル１３、およびフレームメモリ（ＦＭ）１４を含む。コントローラ１０は、外部から入力された映像信号に基づいて、映像信号を出力するソースドライバ１１および走査信号を出力するゲートドライバ１２を制御し、液晶パネル１３に映像を表示させる。フレームメモリ１４については後述する。
【００２５】
コントローラ１０は、倍速駆動変換部２１、ＲＧＢＷ変換部２２、サブフレーム階調変換部２３、第１サブフレームＬＵＴ（ルックアップテーブル）２４ａ、第２サブフレームＬＵＴ２４ｂ、および駆動制御部２５を含む。
【００２６】
倍速駆動変換部２１は、フレームメモリ１４を用い、入力された映像信号を倍速化し、同じ映像信号を１フレーム期間に２回繰り返して、第１のサブフレームと第２のサブフレームに変換し、倍速映像信号としてＲＧＢＷ変換部２２に送る。同時に第１のサブフレーム識別情報および第２のサブフレーム識別情報をサブフレーム階調変換部２３に送る。
【００２７】
ＲＧＢＷ変換部２２は、倍速駆動変換部２１から入力された倍速映像信号を、ＲＧＢＷに変換すると共に、最大階調が小さくなるよう処理を行い、サブフレーム階調変換部２３に送る。なお、ここでいうＲＧＢＷについては後述する。
【００２８】
サブフレーム階調変換部２３は、第１サブフレームＬＵＴ２４ａおよび第２サブフレームＬＵＴ２４ｂという２種のＬＵＴを備えており、ＲＧＢＷ変換部２２によって処理された倍速映像信号と、倍速駆動変換部２１から受けた第１のサブフレーム識別情報および第２のサブフレーム識別情報により、第１のサブフレームを第１のサブフレームＬＵＴ２４ａで変換して第１のサブフレーム映像信号を生成し、第２のサブフレームを第２のサブフレームＬＵＴ２４ｂで変換して第２のサブフレーム映像信号を生成し、各々のサブフレーム映像信号を駆動制御部２５に送る。
【００２９】
駆動制御部２５は、サブフレーム階調変換部２３から受けた第１および第２のサブフレーム映像信号から、ソースドライバ１１およびゲートドライバ１２の制御信号を作成して各々のドライバに出力する。
【００３０】
なお、コントローラ１０をマイクロコンピュータ（図示せず）によって制御されるものとして構成し、図１でコントローラ１０に含まれるものとして示した各々の機能ブロックを該マイクロコンピュータによって実行されるプログラムとして実現することも可能である。この場合、フレームメモリ１４は該マイクロコンピュータのＲＡＭであり、第１サブフレームＬＵＴ２４ａおよび第２サブフレームＬＵＴ２４ｂは該マイクロコンピュータ内部に記憶されているデータであるものとしてもよい。
【００３１】
図２は、図１で示した液晶パネル１３のサブピクセルの構成の一例を示す概念図である。液晶パネル１３は、図に示す画素がマトリクス状に配列されている。図２（ａ１）〜（ｃ３）は、本実施の形態になるＲＧＢＷ画素構成の例を示す。図２（ｄ）は、通常のＲＧＢストライプ画素構成を参考のため示したものである。図２（ｄ）に示す従来のＲＧＢストライプ画素構成では、ＲＧＢ３種のサブピクセル３４ｒ、３４ｇおよび３４ｂを等しい面積比率の縦方向ストライプで配置している。
【００３２】
ＲＧＢＷとは、三原色である赤色（Ｒ）、緑色（Ｇ）、青色（Ｂ）に、混色である白色（Ｗ）を加えた色構成である。図２（ａ１）〜（ａ３）に示すＲＧＢＷ画素構成ではＲＧＢＷ４種のサブピクセル３１ｒ、３１ｇ、３１ｂおよび３１ｗを等しい面積比率で配置している。ただしその配置は図２（ａ１）のような縦方向ストライプに限らず、たとえば図２（ａ２）のような横方向ストライプ、あるいは図２（ａ３）のような格子などの配置でもよい。
【００３３】
また、図２（ｂ１）〜（ｂ２）に示すように、サブピクセルのうち３１ｒ、３１ｇおよび３１ｂの面積比率を等しくして、３１ｗをそれらとは異なる面積比率として白色（Ｗ）の効果を調整することもできる。
【００３４】
また、図２（ｃ１）に示すように、パネルのカラーフィルタの色層がないものなどの場合で、白色（Ｗ）のサブピクセル３１ｗのかわりに３原色が混色された色味、たとえばシアン（Ｃ）、イエロー（Ｙ）、マゼンダ（Ｍ）などであれば本発明の効果を奏することができる（図２（ｃ１）では白色（Ｗ）のかわりにシアン（Ｃ）のサブピクセル３２ｃを含んだ色構成を示している）。
【００３５】
さらに、図２（ｃ２）に示すように、三原色と白色と白色以外の色（図ではシアン（Ｃ）のサブピクセル３２ｃ）を含んだ色構成にしてもよい。そして、図２（ｃ３）に示すように、ＲＧＢの三原色のサブピクセル３１ｒ、３１ｇ、３１ｂを、ＲＧＢではなく、各々シアン（Ｃ）、イエロー（Ｙ）およびマゼンダ（Ｍ）のサブピクセル３３ｃ、３３ｙ、３３ｍに置き換えてもよい。
【００３６】
以後、入力される映像信号はＲＧＢの三原色によるものであり、各色の信号強度を（Ｒ，Ｇ，Ｂ）で表すものとする。液晶パネル１３の画素構成は、図２（ａ１）〜（ａ３）に示した、ＲＧＢＷ４種のサブピクセル３１ｒ、３１ｇ、３１ｂおよび３１ｗを等しい面積比率で配置した形であるものとする。
【００３７】
図３は、図１で示したＲＧＢＷ変換部２２の構成をさらに詳しく示すブロック図である。また図４は、図３で示したＲＧＢＷ変換部２２の動作を示すフローチャートである。ＲＧＢＷ変換部２２は、ガンマ変換部４１、ＲＧＢＷ輝度算出部４２、Ｍｉｎ／Ｍａｘ算出部４３、スケーリングファクタ算出部４４、ＲＧＢＷ効率設定部４５、ＲＧＢＷスケーリング輝度算出部４６、低輝度化処理部４７、および逆ガンマ変換部４８を含む。
【００３８】
ガンマ変換部４１は、入力された映像信号（Ｒ，Ｇ，Ｂ）を数１に示す式によって相対輝度（ＬＲ０，ＬＧ０，ＬＢ０）に変換する（ステップＳ１１０）。ここで、入力信号の分解能をＮビット、ガンマ定数をγと定義する。得られた相対輝度は、ＲＧＢＷ輝度算出部４２およびＭｉｎ／Ｍａｘ算出部４３に入力される。
【００３９】
【数１】
0005278730.tif 000002
Ｍｉｎ／Ｍａｘ算出部４３は、ガンマ変換部４１から入力された相対輝度を数２に示す式によって相対輝度の最大値Ｌｍａｘ０と、最小値Ｌｍｉｎ０を算出する（ステップＳ１２０）。得られた相対輝度の最小値は、ＲＧＢＷ輝度算出部４２に入力される。また相対輝度の最大値は、スケーリングファクタ算出部４４に入力される。
【００４０】
【数２】
0005278730.tif 000003
ＲＧＢＷ輝度算出部４２は、Ｍｉｎ／Ｍａｘ算出部４３から入力された相対輝度の最小値ＬＭＩＮ０をＷの相対輝度に割り振ると共に、色味の変化がないように、数３に示す式によってＲＧＢＷの相対輝度（ＬＲ１，ＬＧ１，ＬＢ１，ＬＷ１）を算出する（ステップＳ１３０）。ここでＡ＝（Ｗサブピクセル透過率／ＲＧＢサブビクセル合計透過率）として定義される。得られたＲＧＢＷの相対輝度は、スケーリングファクタ算出部４４、およびＲＧＢＷスケーリング輝度算出部４６に入力される。
【００４１】
【数３】
0005278730.tif 000004
スケーリングファクタ算出部４４は、ＲＧＢＷ輝度算出部４２から入力されたＲＧＢＷの相対輝度から数４に示す式によってスケーリングファクタＳを算出する（ステップＳ１４０）。スケーリングファクタＳは、ＲＧＢ色空間で表される入力信号（Ｒ，Ｇ，Ｂ）を、非相似形の色空間であるＲＧＢＷ表示色空間に変換する際の、輝度の増幅を表す量である。得られたスケーリングファクタＳは、ＲＧＢＷ効率設定部４５に出力される。
【００４２】
【数４】
0005278730.tif 000005
ＲＧＢＷ効率設定部４５は、スケーリングファクタ算出部４４から入力されたスケーリングファクタＳから数５に示す式によってスケーリングファクタＳ２を算出する（ステップＳ１５０）。スケーリングファクタＳ２は、ＲＧＢＷの輝度改善効率αにより調整したスケーリングファクタの値である。なお、輝度改善効率αの値は０〜１の間で任意に設定することができ、大きくすれば輝度増幅量が増え、小さくすれば少なくなる。またＡは数３で使用したものと同一である。得られたスケーリングファクタＳ２は、ＲＧＢＷスケーリング輝度算出部４６に出力される。
【００４３】
【数５】
0005278730.tif 000006
ＲＧＢＷスケーリング輝度算出部４６は、ＲＧＢＷ輝度算出部４２から入力されたＲＧＢＷの相対輝度と、ＲＧＢＷ効率設定部４５から入力されたスケーリングファクタＳ２から数６に示す式によってスケーリング相対輝度（ＬＲ２，ＬＧ２，ＬＢ２，ＬＷ２）を算出する（ステップＳ１６０）。この変換により、入力信号（Ｒ，Ｇ，Ｂ）がすべて最大輝度となる場合であっても、出力映像信号の輝度を最大輝度よりも小さくすることができる。得られたスケーリング相対輝度は、低輝度化処理部４７に出力される。
【００４４】
【数６】
0005278730.tif 000007
ここまでの処理で、入力信号（Ｒ，Ｇ，Ｂ）の３色の相対輝度は、ＲＧＢＷの４色の相対輝度に変換されたことになる。低輝度化処理部４７は、ＲＧＢＷスケーリング輝度算出部４６から入力されたスケーリング相対輝度から、まず数７に示す式によってＲＧＢ成分の最大値Ｌｍａｘ２および最小値Ｌｍｉｎ２を算出する（ステップＳ１７１）。
【００４５】
【数７】
0005278730.tif 000008
ここで低輝度化処理部４７は、得られたＲＧＢ成分の最大値および最小値、およびのスケーリング相対輝度のＷ成分ＬＷ２について、数８に示す第１の値と第２の値との間で大小を判断する（ステップＳ１７２）。数８の第１の値が第２の値以上であれば、数９に示す式によって最大値を低輝度化処理したスケーリング相対輝度（ＬＲ３，ＬＧ３，ＬＢ３，ＬＷ３）を算出する（ステップＳ１７３）。数８の第１の値が第２の値未満であれば、数１０に示す式によって低輝度化処理済みスケーリング相対輝度（ＬＲ３，ＬＧ３，ＬＢ３，ＬＷ３）を算出する。なお、Ａは数３および数５で使用したものと同一である（ステップＳ１７４）。
【００４６】
【数８】
0005278730.tif 000009
【００４７】
【数９】
0005278730.tif 000010
【００４８】
【数１０】
0005278730.tif 000011
この処理は、前述のＲＧＢＷのスケーリング相対輝度を、表示の変化が起こらないようにしつつ、スケーリング相対輝度ＲＧＢ成分の最大値とＷ成分の値とを均一化して、最大値を下げるという演算である。この演算によって最大値を低輝度化処理したスケーリング相対輝度は、いずれかの成分が０とならない限り、ＲＧＢ成分の最大値とＷ成分の値が等しくなる。得られた低輝度化処理済みスケーリング相対輝度は、逆ガンマ変換部４８に入力される。
【００４９】
逆ガンマ変換部４８は、低輝度化処理部４７から入力された低輝度化処理済みスケーリング相対輝度を、数１１に示す式によって低階調化処理済みＲＧＢＷ階調値（Ｒ２，Ｇ２，Ｂ２，Ｗ２）に変換する（ステップＳ１８０）。これによって得られた低階調化処理済みＲＧＢＷ階調値は、サブフレーム階調変換部２３に入力される。なお、Ｎおよびγは数１で使用したものと同一である。
【００５０】
【数１１】
0005278730.tif 000012
このように、ＲＧＢＷ変換部２２は、入力された映像信号（Ｒ，Ｇ，Ｂ）を映像信号（Ｒ，Ｇ，Ｂ，Ｗ）に変換すると共に、ＲＧＢＷ効率設定部４５および低輝度化処理部４７により、映像信号の最大階調が小さくなるよう映像信号の変換を行うことが可能である。
【００５１】
図５は、図１で示した第１サブフレームＬＵＴ２４ａおよび第２サブフレームＬＵＴ２４ｂの実例を示す概念図である。図５では、入力階調５１の値と、該入力階調５１を第１サブフレームＬＵＴ２４ａによって変換した第１サブフレーム出力階調５２ａおよび第２サブフレームＬＵＴ２４ｂによって変換した第２サブフレーム出力階調５２ｂとの対応を示している。
【００５２】
図６は、図５で示した第１サブフレームＬＵＴ２４ａおよび第２サブフレームＬＵＴ２４ｂによる階調輝度特性と出力階調特性を示すグラフである。図６（ａ）は、横軸に入力階調５１、縦軸に第１サブフレーム出力階調５２ａおよび第２サブフレーム出力階調５２ｂを取った出力階調特性のグラフである。図６（ｂ）は、横軸に入力階調５１、縦軸に人間の認識する輝度の相対値である相対輝度を取った階調輝度特性のグラフである。
【００５３】
図６（ａ）で、入力階調５１に対応する第１サブフレーム出力階調５２ａの値は曲線６１ａに、第２サブフレーム出力階調５２ｂの値は曲線６１ｂにそれぞれ示される。直線６２は通用駆動の出力階調を示し、曲線６１ａおよび６１ｂの値の平均である。本実施の形態では、ＲＧＢＷ変換部２２からの入力映像信号の階調よりも小さく変換されたＲＧＢＷの階調がサブフレーム階調変換部２３に入力される。
【００５４】
サブフレーム階調変換部２３は、入力信号の階調が小さい場合は、一方のサブフレームの階調を最小値近傍にし、もう一方のサブフレームの階調を変化させ、入力信号の階調が大きい場合は、一方のサブフレームの階調を変化させ、もう一方のサブフレームの階調を最大値近傍にし、各サブフレームの入力階調ごとの輝度を平均した平均輝度が入力映像データと等しくなるように変換する。
【００５５】
入力階調５１が所定の値より大きい場合、たとえば図６（ａ）で１８６以上の場合には、第１サブフレームの輝度は最大値となるため、第１および第２サブフレームの平均輝度を入力映像データに追随して大きくするためには、第２サブフレームの輝度を大きくする。
【００５６】
図６（ｂ）に示す相対輝度では、第１サブフレームは曲線６３ａで示される第１サブフレーム階調特性となるように、第２サブフレームは曲線６３ｂで示される第２サブフレーム階調特性となるように、入力階調５１から第１サブフレーム出力階調５２ａおよび第２サブフレーム出力階調５２ｂへの変換を行う。曲線６４は、曲線６３ａおよび６３ｂの平均輝度であり、人間の認識する階調特性の曲線である。
【００５７】
ここで、第２サブフレームの輝度が小さいほど、また、第２サブフレームの輝度が小さくなる入力階調５１の値の範囲が大きいほど、動画尾引きを低減できる。よって第２サブフレームの輝度は０であることが好ましいが、０よりも少し高い輝度であっても良い。第２サブフレームの輝度が０となる入力階調５１の値の最小値は０であり、最大値は第１サブフレームの輝度を最大値としてかつ第２サブフレームの輝度を０として得られる人間の認識する輝度が入力映像データと同等となる値である。ただし、これよりも少し小さい階調を最大値としてもよい。
【００５８】
次に、具体的な値を用いて説明する。コントローラ１０に入力される映像信号（Ｒ，Ｇ，Ｂ）＝（２３０，１９０，２１０）とする。またＡ＝１．３、α＝０．７５とし、入力信号の分解能Ｎ＝８（ビット）、γ＝２．２とする。本実施の形態で、変換後の階調はそれぞれ（Ｒ２，Ｇ２，Ｂ２，Ｗ２）＝（１８３，９０，１４３，１８３）となる。
【００５９】
図７は、図１で示したＲＧＢＷ変換部２２による映像信号の入力値と出力値を示すグラフである。図７（ａ１）は入力信号の階調を、図７（ａ２）は入力信号の輝度（ＲＧＢマトリクスとの輝度比）と色度（ＸＹ色度座標）を、図７（ｂ１）は変換後の出力信号の階調を、図７（ｂ２）は出力信号の輝度と色度を、それぞれ示す。
【００６０】
図７（ａ１）と図７（ｂ１）で変換前後での階調を比較すれば、入力信号は（Ｒ，Ｇ，Ｂ）＝（２３０，１９０，２１０）であるから最大階調は２３０であるのに対し、出力信号は（Ｒ２，Ｇ２，Ｂ２，Ｗ２）＝（１８３，９０，１４３，１８３）であるから最大階調は１８３にまで縮小されている。一方、図７（ａ２）と図７（ｂ２）で変換前後での輝度および色度を比較すれば、色度のＸＹ色度座標は同一であり、また輝度の値はわずかな変化しかないことがわかる。
【００６１】
図５に示した第１サブフレームＬＵＴ２４ａおよび第２サブフレームＬＵＴ２４ｂを利用して第１および第２サブフレームの出力階調を求めれば、第１サブフレーム出力階調は（２５１，１２３，１９６，２５１）、第２サブフレームの出力階調は（０，０，０，０）となる。本実施の形態では、１８６より大きい階調では第１サブフレームの階調を最大値とし、１８６より小さい階調では第２サブフレームを最小値とする。
【００６２】
このＲＧＢＷ変換部２２による色変換を通さずに入力映像信号をそのままＬＵＴにより第１および第２サブフレームの出力階調に変換した場合には、第１サブフレームの出力階調はＲＧＢ共に最大値となり、第２サブフレームは最小値とはならず（２０１，６３，１４９）と比較的大きな中間調となる。このため、十分な動画質を得ることができず、尾引き現象が現れる。
【００６３】
一方、本発明の第１の実施例では、色変換により階調を低階調側に置き換えているので、第１サブフレームと第２サブフレームとの出力階調に大きな差をつけることができ、動画尾引きを防止し、動画質が改善される。
【００６４】
なお、本実施の形態のＲＧＢＷ変換部２２は、ＲＧＢＷの変換に伴い、入力されるＲＧＢの階調の最大値に対し、出力するＲＧＢＷの階調の最大値が小さくなればよい。上記では色度座標と、輝度および色度の連続性とを重視したＲＧＢＷ変換式を示しているが、これを輝度増加を重視した変換式や、色度座標の一致を重視した変換式などにしてもよい。また、１フレームを第１および第２サブフレームの２つのサブフレームに分割するだけでなく、さらに多くのサブフレームに分割してもよい。
【００６５】
図８は従来の時分割駆動の場合と図１〜８で示した本実施の形態の液晶表示装置１の場合とにおける、入力信号と相対輝度との対応を示すグラフである。図８（ａ）は、図２０（ｃ）として示したものと同一の、時分割駆動の場合のグラフであるのに対して、図８（ｂ）は本実施の形態の場合のグラフである。共に、横軸は入力信号の階調を、縦軸は白色画面に対する相対輝度を示す。入力信号および各パラメータは、前述で示したように映像信号（Ｒ，Ｇ，Ｂ）＝（２３０，１９０，２１０）、Ａ＝１．３、α＝０．７５、入力信号の分解能Ｎ＝８（ビット）、γ＝２．２である。
【００６６】
図８（ｂ）に示されているように、本実施の形態では白輝度の最大値が向上している。さらに、図７に示されているように、色度のＸＹ色度座標は同一であるままで最大表示階調を２３０から１８３に低下させている。このため、時分割駆動の動画尾引き抑制の効果がより高くなる低階調の入力信号で、同じ内容を表示させることが可能である。たとえば相対輝度１．０を得るために、図８（ａ）に示す従来の時分割駆動では入力階調に２５６を入力する必要があるのに対し、図８（ｂ）に示す本実施の形態では２２６を入力する。
【００６７】
このように、本発明の第１の実施の形態は、透過率の高いWサブピクセルを挿入することによって白輝度を向上させると同時に、同じ映像表示を低階調の入力信号に変換することにより、時分割表示の動画改善効果が高まり、輝度効率の改善と動画尾引きの抑制を両立した高画質な表示装置が実現可能となる。
【００６８】
なお、図７〜８に示した例はＲＧＢＷ輝度効率α＝０．７５に設定した時の例であるが、ＲＧＢＷ輝度効率は、用途に応じて輝度と動画尾引きを勘案し設定すればよい。例えばα＝１．０に近い値とすれば、表示階調の低下量が減るので動画尾引き抑制の効果は弱くなるが、輝度改善効果を高めることが可能である。逆にαを小さく設定すれば、輝度改善効果が弱まるが、表示階調の低下量が増すので動画尾引き抑制の効果を高める事が可能である。
【００６９】
図９は、図１〜８に示した本実施の形態に係る液晶表示装置１を適用した放送受信装置２００の構成を示すブロック図である。放送受信装置２００は、切り替え制御部２０１、ユーザ設定部２０２、ＯＳＤ（Ｏｎ  Ｓｃｒｅｅｎ  Ｄｉｓｐｌａｙ）制御部２０３、映像処理部２０４、音声処理部２０５、音声再生部２０６、および液晶表示装置１とを含む。なお、図９では映像信号を破線、音声信号を一点鎖線、その他の信号を実線で示している。
【００７０】
切り替え制御部２０１は、ユーザ設定部２０２からの入力に基づいて、複数の映像ソースから入力される映像信号および音声信号を切り替え、それぞれを映像処理部２０４と音声処理部２０５とに出力する。また、ＯＳＤ制御部２０３はユーザ設定を補助する画像を構成し、映像処理部２０４に出力する。
【００７１】
映像処理部２０４は、切り替え制御部２０１によって選択された映像信号に対して、ＩＰ変換、スケーラ等のフォーマット変換、および明るさ、コントラスト、色等の映像調整を行うとともに、ＯＳＤ制御部から入力されたユーザ設定画像を合成し、液晶表示装置１に入力する。音声処理部２０５は、切り替え制御部２０１によって選択された音声信号に対して、アナログ変換などの処理を行い、音声再生部２０６で再生可能な音声信号に変換し、音声再生部２０６に入力する。音声再生部２０６は、音声処理部２０５によって入力された音声信号を再生するものであり、スピーカおよびアンプなどを含む。
【００７２】
また、放送受信装置２００は単数もしくは複数の映像ソースを適宜含むことができる。具体的には、たとえば地上波アナログ放送受信部２１１、地上波デジタル放送受信部２１２、衛星放送受信部２１３などの映像ソースを内蔵することができる。また、アナログ入力端子２１４およびデジタル入力端子２１５を介して、外部の映像ソースを入力することもできる。アナログ入力端子２１４を介して受け付けられたアナログ映像信号は、Ａ／Ｄコンバータ２１６によりデジタル映像信号に変換される。
【００７３】
ただし、液晶表示装置１は、このような放送受信装置２００への適用に限定されるものではない。たとえばコンピュータ装置、携帯電話端末、デジタルカメラ、ゲーム機、音楽プレーヤーなど、液晶表示装置を利用した電子機器全般に適用することができる。また、液晶表示装置以外のホールド型表示装置と、該装置を利用した電子機器全般に適用することもできる。さらに、放送受信装置２００の構成は図９に示した例に限られることはない。ここに示したものと異なる機能ブロック構成であってもよいし、ここに示した以外の映像ソースを含んでいてもよいし、また映像ソースを全く含まず外部からの入力端子のみを備えるものとしてもよい。
【００７４】
［第２の実施の形態］
図１０は、本発明の第２の実施の形態に係る液晶表示装置のＲＧＢＷ変換部２２ｂの構成を示すブロック図である。本発明の第２の実施の形態に係る液晶表示装置は、前述の第１の実施の形態に係る液晶表示装置１から図３で記載した低輝度化処理部４７を省略し、ＲＧＢＷスケーリング輝度算出部４６から出力されるスケーリング相対輝度（ＬＲ２，ＬＧ２，ＬＢ２，ＬＷ２）を逆ガンマ変換部４８に入力するものである。それ以外の構成は同一であるので、これ以上の構成の説明は省略する。
【００７５】
図１１は、図１０で示したＲＧＢＷ変換部２２ｂの動作を示すフローチャートである。図１１で示される処理は、図４で示した第１の実施の形態に係るＲＧＢＷ変換部２２の動作を示すフローチャートと比べて、低輝度化処理部４７による処理（ステップＳ１７１〜１７４）が省略されている。
【００７６】
逆ガンマ変換部４８はＲＧＢＷスケーリング輝度算出部４６から出力されるスケーリング相対輝度（ＬＲ２，ＬＧ２，ＬＢ２，ＬＷ２）に対して低階調化処理済みＲＧＢＷ階調値（Ｒ２，Ｇ２，Ｂ２，Ｗ２）に変換する処理を行う（ステップＳ１８０）。処理の内容は、数１１で示した数式のＬＲ３，ＬＧ３，ＬＢ３，ＬＷ３を各々ＬＲ２，ＬＧ２，ＬＢ２，ＬＷ２に置き換えた以外、全く同一である。これ以外に、図４で示した処理との相違点はないので、これ以上の動作の説明は省略する。
【００７７】
図１２は、図１０で示したＲＧＢＷ変換部２２ｂによる映像信号の入力値と出力値を示すグラフである。また図１３は従来の時分割駆動との場合と図１０〜１２で示した本実施の形態の液晶表示装置の場合とにおける、入力信号と相対輝度との対応を示すグラフである。図７および図８で示した第１の実施の形態の場合と比べて弱まっているが、最大階調を縮小する効果は発揮されていることがわかる。
【００７８】
かつ、低輝度化処理部４７を省略しているので、本実施の形態のＲＧＢＷ変換部２２ｂの動作は、第１の実施の形態のＲＧＢＷ変換部２２の動作と比べて少ない演算量で実現される。従って、より計算能力の小さいハードウェアでよいので、表示装置をコストダウンしつつ、動画尾引き抑制の効果を得ることができる。
【００７９】
なお、図１２および１３に示したグラフは、時分割駆動の場合と白輝度が等しくなるようにＲＧＢＷ輝度効率αを設定したものである（本実施の形態の場合α＝０．４４）。本実施の形態の場合、用途に応じて、輝度と動画尾引きを勘案してＲＧＢＷ輝度効率αを設定することができる。
【００８０】
［第３の実施の形態］
図１４は、本発明の第３の実施の形態に係る液晶表示装置のＲＧＢＷ変換部２２ｃの構成を示すブロック図である。本発明の第３の実施の形態に係る液晶表示装置は、前述の第１の実施の形態に係る液晶表示装置１から図３で記載したＲＧＢＷ効率設定部４５を省略し、スケーリングファクタ算出部４４から出力されるスケーリングファクタＳをＲＧＢＷスケーリング輝度算出部４６に入力するものである。それ以外の構成は同一であるので、これ以上の構成の説明は省略する。
【００８１】
図１５は、図１４で示したＲＧＢＷ変換部２２ｃの動作を示すフローチャートである。図１５で示される処理は、図４で示した第１の実施の形態に係るＲＧＢＷ変換部２２の動作を示すフローチャートと比べて、ＲＧＢＷ効率設定部４５による処理（ステップＳ１５０）が省略されている。ＲＧＢＷスケーリング輝度算出部４６の処理（ステップＳ１６０）の内容は、数６で示した数式のＳ２をＳに置き換えた以外、全く同一である。これ以外に、図４で示した処理との相違点はないので、これ以上の動作の説明は省略する。
【００８２】
図１６は、図１４で示したＲＧＢＷ変換部２２ｃによる映像信号の入力値と出力値を示すグラフである。また図１７は従来の時分割駆動との場合と図１４〜１６で示した本実施の形態の液晶表示装置の場合とにおける、入力信号と相対輝度との対応を示すグラフである。図７および図８で示した第１の実施の形態の場合と比べて弱まっているが、最大階調を縮小する効果は発揮されていることがわかる。かつ、第１の実施例と比べて、白輝度がさらに向上していることもわかる。ＲＧＢＷ効率設定部４５を省略しているので、本実施の形態は前述の第２の実施の形態と同様に、表示装置をコストダウンしつつ、動画尾引き抑制の効果を得ることができる。
【００８３】
［第４の実施の形態］
図１８は、本発明の第４の実施の形態に係る液晶表示装置１ｂの構成を示すブロック図である。液晶表示装置１ｂのコントローラ１０ｂは、外部から入力される映像信号がまずＲＧＢＷ変換部２２によってＲＧＢＷに変換されて最大階調が小さくなるように処理され、その後でＲＧＢＷ変換部２２の出力する映像信号を倍速駆動変換部２１が第１のサブフレームと第２のサブフレームに変換してサブフレーム階調変換部２３に送る。それ以外の構成は本発明の第１の実施の形態に係る液晶表示装置１と同一であるので、これ以上の構成の説明は省略する。
【００８４】
ＲＧＢＷ変換部２２および倍速駆動変換部２１が行う処理の内容は第１の実施の形態と同一であり、また得られる効果も第１の実施の形態と同一である。この構成にすると、倍速駆動変換部２１がフレームメモリ１４に保存する画面データの量が増大するが、ＲＧＢＷ変換部２２による演算量を半減することが可能である。これも、表示装置のコストダウンにつながる。なお、ＲＧＢＷ変換部２２を、第２および第３の実施の形態で説明したＲＧＢＷ変換部２２ｂもしくは２２ｃに置き換えてもよい。
【００８５】
これまで本発明について図面に示した特定の実施の形態をもって説明してきたが、本発明は図面に示した実施の形態に限定されるものではなく、本発明の効果を奏する限り、これまで知られたいかなる構成であっても採用することができることは言うまでもないことである。
【産業上の利用可能性】
【００８６】
液晶表示装置などのホールド型表示装置を利用した電子機器全般に適用可能である。
【図面の簡単な説明】
【００８７】
【図１】本発明の第１の実施の形態に係る液晶表示装置の構成を示すブロック図である。
【図２】図１で示した液晶パネルのサブピクセルの構成の一例を示す概念図である。
【図３】図１で示したＲＧＢＷ変換部の構成をさらに詳しく示すブロック図である。
【図４】図３で示したＲＧＢＷ変換部の動作を示すフローチャートである。
【図５】図１で示した第１サブフレームＬＵＴおよび第２サブフレームＬＵＴの実例を示す概念図である。
【図６】図５で示した第１サブフレームＬＵＴおよび第２サブフレームＬＵＴによる階調輝度特性と出力階調特性を示すグラフである。
【図７】図１で示したＲＧＢＷ変換部による映像信号の入力値と出力値を示すグラフである。
【図８】従来の時分割駆動の場合と図１〜８で示した本実施の形態の液晶表示装置の場合とにおける、入力信号と相対輝度との対応を示すグラフである。
【図９】図１〜８に示した本実施の形態に係る液晶表示装置を適用した放送受信装置の構成を示すブロック図である。
【図１０】本発明の第２の実施の形態に係る液晶表示装置のＲＧＢＷ変換部の構成を示すブロック図である。
【図１１】図１０で示したＲＧＢＷ変換部の動作を示すフローチャートである。
【図１２】図１０で示したＲＧＢＷ変換部による映像信号の入力値と出力値を示すグラフである。
【図１３】従来の時分割駆動との場合と図１０〜１２で示した本実施の形態の液晶表示装置の場合とにおける、入力信号と相対輝度との対応を示すグラフである。
【図１４】本発明の第３の実施の形態に係る液晶表示装置のＲＧＢＷ変換部の構成を示すブロック図である。
【図１５】図１４で示したＲＧＢＷ変換部の動作を示すフローチャートである。
【図１６】図１４で示したＲＧＢＷ変換部による映像信号の入力値と出力値を示すグラフである。
【図１７】従来の時分割駆動との場合と図１４〜１６で示した本実施の形態の液晶表示装置の場合とにおける、入力信号と相対輝度との対応を示すグラフである。
【図１８】本発明の第４の実施の形態に係る液晶表示装置の構成を示すブロック図である。
【図１９】従来の液晶表示装置などのようなホールド型表示装置に入力される信号の、時間軸に対する相対輝度の変化を示すタイムチャートである。
【図２０】図１９で示した各方式での入力信号と相対輝度との対応を示すグラフである。
【符号の説明】
【００８８】
１、１ｂ  液晶表示装置
１０、１０ｂ  コントローラ
１１  ソースドライバ
１２  ゲートドライバ
１３  液晶パネル
１４  フレームメモリ
２１  倍速駆動変換部
２２、２２ｂ、２２ｃ  ＲＧＢＷ変換部
２３  サブフレーム階調変換部
２４ａ  第１サブフレームＬＵＴ
２４ｂ  第２サブフレームＬＵＴ
２５  駆動制御部
３１ｒ、３１ｇ、３１ｂ、３１ｗ、３２ｃ、３３ｃ、３３ｙ、３３ｍ、３４ｒ、３４ｇ、３４ｂ  サブピクセル
４１  ガンマ変換部
４２  ＲＧＢＷ輝度算出部
４３  Ｍｉｎ／Ｍａｘ算出部
４４  スケーリングファクタ算出部
４５  ＲＧＢＷ効率設定部
４６  ＲＧＢＷスケーリング輝度算出部
４７  低輝度化処理部
４８  逆ガンマ変換部
【図１】
0005278730.tif 000013
【図２】
0005278730.tif 000014
【図３】
0005278730.tif 000015
【図４】
0005278730.tif 000016
【図５】
0005278730.tif 000017
【図６】
0005278730.tif 000018
【図７】
0005278730.tif 000019
【図８】
0005278730.tif 000020
【図９】
0005278730.tif 000021
【図１０】
0005278730.tif 000022
【図１１】
0005278730.tif 000023
【図１２】
0005278730.tif 000024
【図１３】
0005278730.tif 000025
【図１４】
0005278730.tif 000026
【図１５】
0005278730.tif 000027
【図１６】
0005278730.tif 000028
【図１７】
0005278730.tif 000029
【図１８】
0005278730.tif 000030
【図１９】
0005278730.tif 000031
【図２０】
0005278730.tif 000032